(57)【要約】【課題】点灯表示用ＬＥＤ及び消灯表示用ＬＥＤが発する光が広範囲に受信されるようにしたことを目的とする。【解決手段】プリント基板５に４つの照明点灯用スイッチ６と、各照明点灯用スイッチに対応してるオン時に点灯する点灯表示用ＬＥＤ８及びオフ時に点灯する消灯表示用ＬＥＤ７を４対間隔を置いて実装し、プリント基板をスイッチ本体上ケース１に収納し、スイッチ本体上ケースの前面に各照明点灯用スイッチのスイッチ操作ボタン３に対応するスイッチ用開口窓２と各対の消灯表示用ＬＥＤ及び点灯表示用ＬＥＤにそれぞれ対応する表示ＬＥＤ窓４とを４つ設け、各点灯表示用ＬＥＤと各消灯表示用ＬＥＤの上面にそれぞれ導光部材１０の基端部を配置し、導光部材１０の広範囲に光を拡散又は集光する先端部を表示ＬＥＤ窓から突出するように設けたものである。【選択図】        図１
2004355958.tif 000002
【特許請求の範囲】
【請求項１】
プリント基板に複数の照明点灯用スイッチと、各照明点灯用スイッチに対応してオン時に点灯する点灯表示用ＬＥＤ及びオフ時に点灯する消灯表示用ＬＥＤを複数対間隔を置いて実装し、前記プリント基板をスイッチ本体ケースに収納し、該スイッチ本体ケースの前面に各照明点灯用スイッチのスイッチ操作ボタンに対応するスイッチ用開口窓と各対の消灯表示用ＬＥＤ及び点灯表示用ＬＥＤにそれぞれ対応する表示ＬＥＤ窓とを複数設け、前記各点灯表示用ＬＥＤと前記各消灯表示用ＬＥＤの上面にそれぞれ導光部材の基端部を配置し、該導光部材の広範囲に光を拡散又は集光する先端部を前記表示ＬＥＤ窓から突出するように設けたことを特徴とする照明スイッチ装置。
【請求項２】
前記プリント基板に前記消灯表示用ＬＥＤ又は前記点灯表示用ＬＥＤの少なくともいずれか１つに隣接して光信号を受信する受光ＩＣを実装し、該消灯表示用ＬＥＤの上面に基端部が配置された導光部材が該受光ＩＣの導光部材を兼ねることを特徴とする請求項１記載の照明スイッチ装置。
【請求項３】
前記プリント基板に前記消灯表示用ＬＥＤ又は前記点灯表示用ＬＥＤの少なくともいずれか１つに隣接して光信号を発信する発光ＩＣを実装し、該消灯表示用ＬＥＤの上面に基端部が配置された導光部材が該発光ＩＣの導光部材を兼ねることを特徴とする請求項１記載の照明スイッチ装置。
【請求項４】
前記導光部材の先端部は半球状であることを特徴とする請求項１〜３のいずれかに記載の照明スイッチ装置。
【請求項５】
前記導光部材の先端部は円錐状であることを特徴とする請求項１〜３のいずれかに記載の照明スイッチ装置。
【請求項６】
前記導光部材の先端部は円錐状の凹部であることを特徴とする請求項１〜３のいずれかに記載の照明スイッチ装置。
【請求項７】
前記導光部材の外表面を反射膜でコーティングしたことを特徴とする請求項１〜６のいずれかに記載の照明スイッチ装置。
【発明の詳細な説明】
【０００１】
【発明の属する技術分野】
本発明は例えば照明器具の点灯制御や調光制御とアドレス設定等を行う照明スイッチ装置、特にワイヤレス信号の送受信を行うものに関する。
【０００２】
【従来の技術】
従来の遠隔監視制御用端末器は、プリント回路基板に負荷制御用スイッチの他に、負荷動作表示用発光ダイオード、ワイヤレス信号である光信号の送信部の発光素子及び光信号の送信部の受光素子を一列に実装し、そのプリント回路基板をケースに収納すると共に、ケースの前面に負荷制御用スイッチの操作ボタンを露出させるスイッチ用開口窓と、負荷動作表示用発光ダイオード、発光素子及び受光素子に対応する複数の開口を設け、これら複数の開口に透光樹脂よりなるライトガイドを覆着するようにしている（例えば、特許文献１参照。）。
また、別の従来の遠隔監視制御システムにおけるワイヤレス設定装置では、ハウジングの先端部の送受光部においてデータが赤外線からなるワイヤレス信号として送受光されるようになっており、送受光部で送受光される赤外線が比較的強い指向性を持つように、例えば発光素子として赤外発光ビームを強指向性に出力するものを使用し、また受光素子も受光範囲が狭角である強指向性のものを使用して、目的の端末器に隣接して配置されている端末器に対してワイヤレス信号としての赤外線が入射しないようにしている（例えば、特許文献２参照。）。
【０００３】
【特許文献１】
特公平６−９７７９７号公報（第１〜２頁、第３図）
【特許文献２】
特公平６−１０３９５５号公報（第９頁、第３図）
【０００４】
【発明が解決しようとする課題】
上記のような従来の遠隔監視制御用端末器では、プリント回路基板に実装された負荷動作表示用発光ダイオードと、ワイヤレス信号である光信号の送信部の発光素子及び光信号の受信部の受光素子に対応する複数の開口をケースの前面に設けており、発光素子及び受光素子に対応する複数の開口は専用のものであるため、今まで負荷制御用スイッチの操作ボタンを露出させるスイッチ用開口窓と負荷動作表示用発光ダイオードに対応する開口を設けたケースを利用することはできず、新たに発光素子及び受光素子に対応する複数の開口を設けるためには別のケースが必要なため、ケースに対する金型を新たに起こす必要があるという問題点があった。
【０００５】
また、ケースの前面に発光素子及び受光素子に対応する複数の開口を設けた場合に、これらの発光素子及び受光素子は、別の従来の遠隔監視制御システムにおけるワイヤレス設定装置の送受光部の発光素子や受光素子が目的の端末器と正確に送受信できるように強い指向性を持つたものが使用されるのと同様に、指向性を持つたものが使用されるため、発光素子及び受光素子に対応する複数の開口にリモコンを近づけて受信させるようにするか、開口の正面からの送信しかできないという問題点があった。
【０００６】
本発明は、このような問題点を解決するためになされたものであり、点灯表示用ＬＥＤ及び消灯表示用ＬＥＤが発する光が広範囲に発信されるようにし、新たにワイヤレス信号を受信する受光ＩＣ又は送信する発光ＩＣを設けた場合に広範囲にワイヤレス信号の受信又は送信を可能とし、スイッチ本体ケースに受光ＩＣ又は発光ＩＣに対応した専用の開口窓を設けなくて済む照明スイッチ装置を得ることを目的とする。
【０００７】
【課題を解決するための手段】
本発明に係る照明スイッチ装置は、プリント基板に複数の照明点灯用スイッチと、各照明点灯用スイッチに対応してオン時に点灯する点灯表示用ＬＥＤ及びオフ時に点灯する消灯表示用ＬＥＤを複数対間隔を置いて実装し、前記プリント基板をスイッチ本体ケースに収納し、該スイッチ本体ケースの前面に各照明点灯用スイッチのスイッチ操作ボタンに対応するスイッチ用開口窓と各対の消灯表示用ＬＥＤ及び点灯表示用ＬＥＤにそれぞれ対応する表示ＬＥＤ窓とを複数設け、前記各点灯表示用ＬＥＤと前記各消灯表示用ＬＥＤの上面にそれぞれ導光部材の基端部を配置し、該導光部材の広範囲に光を拡散又は集光する先端部を前記表示ＬＥＤ窓から突出するように設けたものである。
【０００８】
【発明の実施の形態】
実施の形態１．
図１は本発明の実施の形態１の照明スイッチ装置の要部の構成を示す断面図、図２は同照明スイッチ装置のプリント基板の平面図、図３は同照明スイッチ装置の取付金具が取付けられた平面図、図４は同照明スイッチ装置の取付金具が取付けられた側面図、図５は同照明スイッチ装置の導光部材の各種形状を示す構成図である。
図において、照明スイッチ装置の扁平な長方体状のスイッチ本体上ケース１の前面略全体に長手方向に所定間隔を置いて４つの大きなスイッチ用開口窓２が設けられている。それらの各スイッチ用開口窓２にはスイッチ操作ボタン３が上下動可能に取り付けられている。
【０００９】
また、スイッチ本体上ケース１の前面で各スイッチ用開口窓２の図３に示す上側位置にそれぞれ細長い表示ＬＥＤ窓４が設けられている。そして、そのスイッチ本体上ケース１の後面開口側に長方形のプリント基板５が収納されている。
そのプリント基板５には中央部に長手方向に所定間隔を置いて４つの照明点灯用スイッチ６が実装されており、プリント基板５の左側には長手方向に所定間隔を置いて４つの消灯を緑色で表示する消灯表示用ＬＥＤ７が実装され、プリント基板５の右側には長手方向に所定間隔を置いて４つの点灯を赤色で表示する点灯表示用ＬＥＤ８が実装されている。
【００１０】
プリント基板５の左側と右側に実装された消灯表示用ＬＥＤ７と点灯表示用ＬＥＤ８はプリント基板５の中央部に実装された照明点灯用スイッチ６にそれぞれ対応しており、４対設けられている。そして、各照明点灯用スイッチ６がオン時にそれに対応する点灯表示用ＬＥＤ８が点灯し、各照明点灯用スイッチ６がオフ時にそれに対応する消灯表示用ＬＥＤ７が点灯する。なお、各照明点灯用スイッチ６のオン、オフによって点滅させられる照明器具は複数である。
【００１１】
また、プリント基板４の左側で図の一番下側位置の消灯表示用ＬＥＤ７に隣接してワイヤレス信号である光信号を受信する小型の受光ＩＣ９が実装されている。その受光ＩＣ９及び消灯表示用ＬＥＤ７の上面に円柱状の導光部材１０が立設されている。また、それ以外の各消灯表示用ＬＥＤ７と各点灯表示用ＬＥＤ８の上面にもそれぞれ円柱状の導光部材１０が立設されている。
この導光部材１０は透明なプラスチック又はガラスで形成され、一方の端部に入射した光を他方の端部に導くものであり、図５の（ａ）に示すように導光部材１０の端部である先端部は半球状に形成されている。
【００１２】
従って、スイッチ本体上ケース１の後面開口側にプリント基板５が収納されると、プリント基板５に実装された各照明点灯用スイッチ６の操作子６ａはスイッチ本体上ケース１の各スイッチ用開口窓２に取り付けられたスイッチ操作ボタン３と当接する。
また、プリント基板５に実装された図の一番下側位置の消灯表示用ＬＥＤ７及びそれに隣接する消灯表示用ＬＥＤ７の上面に立設された円柱状の導光部材１０の半球状の先端部と、それ以外の単独の消灯表示用ＬＥＤ７の上面に立設された円柱状の導光部材１０の半球状の先端部とがそれぞれスイッチ本体上ケース１の各細長い表示ＬＥＤ窓４の左側から突出するように配設されている。
さらに、プリント基板５に実装された各点灯表示用ＬＥＤ８の上面に立設された円柱状の導光部材１０の半球状の先端部もスイッチ本体上ケース１の各細長い表示ＬＥＤ窓４の右側からそれぞれ突出するように配設されている。
【００１３】
なお、１１はスイッチ本体上ケース１の後面側に組み付けられた取付金具であり、１２はスイッチ本体上ケース１の後面側と嵌合するスイッチ本体下ケースである。そのスイッチ本体下ケース１２の背面側には照明器具の信号線が接続される端子台１３が設けられている。
また、スイッチ本体下ケース１２の内部には、照明器具の点灯の制御や調光制御とワイヤレス信号の送受信によりアドレス設定を行う制御回路（図示省略）が内蔵されており、その制御回路には４つの照明点灯用スイッチ６、４つの消灯表示用ＬＥＤ７、４つの点灯表示用ＬＥＤ８、１つの受光ＩＣ９が接続されていると共に照明器具の信号線が接続された端子台１３が接続されている。
【００１４】
この実施の形態１では、例えば、アドレス設定や調光制御を行うワイヤレスリモコン（図示省略）より送信されたワイヤレス信号である光信号は、スイッチ本体上ケース１の細長い表示ＬＥＤ窓４の左側から突出するように設けられた導光部材１０の半球状の先端部で受信され、導光部材１０の内部に導かれ、導光部材１０の基端部から受光ＩＣ９に到達することにより受信される。
この受光ＩＣ９の上面に立設された導光部材１０の先端部は半球状をしているので、ワイヤレスリモコンを照明スイッチ装置に近づけることなく、また横方向、斜め方向等の広範囲な方向から送信された光信号を集光して受信することができる。
【００１５】
また、受光ＩＣ９に隣接する消灯表示用ＬＥＤ７が点灯した場合や単独の消灯表示用ＬＥＤ７が点灯した場合は、消灯表示用ＬＥＤ７が発する光は導光部材１０の基端部で受信され、導光部材１０の内部に導かれ、導光部材１０の先端部から外部に向けて発信される。
この消灯表示用ＬＥＤ７の上面に立設された導光部材１０の先端部は半球状をしているので、横方向、斜め方向等の広範囲な方向に向け拡散して発信されるため、照明スイッチ装置の操作者が照明スイッチ装置に対して正面位置ではなく、横方向、斜め方向に位置していても消灯表示用ＬＥＤ７が発する光を視認することができる。
【００１６】
さらに単独の点灯表示用ＬＥＤ８が点灯した場合も、点灯表示用ＬＥＤ８が発する光は導光部材１０の基端部で受信され、導光部材１０の内部に導かれ、導光部材１０の先端部から外部に向けて発信される。
この点灯表示用ＬＥＤ８の上面に立設された導光部材１０の先端部は半球状をしているので、横方向、斜め方向等の広範囲な方向に向け拡散して発信されるため、照明スイッチ装置の操作者が照明スイッチ装置に対して正面位置ではなく、横方向、斜め方向に位置していても点灯表示用ＬＥＤ８が発する光を視認することができる。
【００１７】
例えば、受光ＩＣ９や消灯表示用ＬＥＤ７や点灯表示用ＬＥＤ８だけで導光部材１０が設けられていないものでは、受信又は送信の指向性は約３０度で狭かったが、この実施の形態１のように先端部に半球状の導光部材１０を用いたものでは受信又は送信の指向性が約１２０度と広範囲に広がった。
【００１８】
また、導光部材１０の半球状の先端部は、スイッチ本体上ケース１の各消灯表示用ＬＥＤ７や各点灯表示用ＬＥＤ８が臨む細長い表示ＬＥＤ窓４を利用してその左側又は右側から突出するように配設されているので、スイッチ本体上ケース１に導光部材１０が臨む専用の窓を形成する必要はなくなった。
このため、受光ＩＣ９や導光部材１０を用いない照明点滅用スイッチ６、消灯表示用ＬＥＤ７及び点灯表示用ＬＥＤ８だけの照明スイッチ装置のスイッチ本体上ケース１を流用することができ、スイッチ本体上ケース１の金型を新たに起こす必要もなくなった。
【００１９】
さらに、通常は照明点灯時に点灯している点灯表示用ＬＥＤ８ではなく、通常照明点灯時に消灯している消灯表示用ＬＥＤ７に隣接して受光ＩＣ９を設けているので、受光ＩＣ９が受ける外乱の影響が少くなり、受光ＩＣ９の誤動作も少なくなった。
また、この実施の形態１の導光部材１０は透明なプラスチック又はガラスで形成されているが、外表面を反射膜でコーティングすれば、より光の伝播効率が向上する。
【００２０】
この実施の形態１で、プリント基板５に実装された受光ＩＣ９及び消灯表示用ＬＥＤ７の上面、単独の消灯表示用ＬＥＤ７の上面及び点灯表示用ＬＥＤ８の上面にそれぞれ立設された円柱状の導光部材１０の先端部が半球状のものとして説明したが、これに限定されるものではなく、図５の（ｂ）に示すような導光部材１０の先端部が円錐状をしていたり、図５の（ｃ）に示すような導光部材１０の先端部が円錐状の凹部としていたりしてもよい。
この場合、図５の（ｂ）と（ｃ）に示す導光部材１０の先端部はいずれも半球状のものと同様の受信又は送信の広範囲な指向性を有する。
また、これ以外に円柱状の導光部材１０の先端部が半球状をした多面体であってもよい。
さらに、円柱状の導光部材１０の先端部から光が発信される場合には、先端部全体の表面が粗面に形成されていてもよい。この場合には導光部材１０の先端部全体が乱反射によりボワーと光って視認性がよくなる
【００２１】
実施の形態２．
上述の実施の形態１ではプリント基板４の左側で図の一番下側位置の消灯表示用ＬＥＤ７に隣接して受光ＩＣ９が実装されているのに対し、この実施の形態２では、その消灯表示用ＬＥＤ７に隣接して発光ＩＣを実装したもので、それ以外の構成は実施の形態１と全く同様である。
この実施の形態２では、プリント基板５に実装された発光ＩＣの上面に立設された円柱状の導光部材１０の先端部が図５の（ａ）に示すように半球状をしており、その先端部から光信号が発信されるものである。
その導光部材１０の半球状をした先端部から発信される光信号の指向性は、実施の形態１と同様に約１２０度と広範囲である。
【００２２】
導光部材１０の先端部の形状は、ぞれ以外に実施の形態１と同様に図５の（ｂ）に示すように円錐状をしていたり、図５の（ｃ）に示すように円錐状の凹部としていたり、半球状をした多面体であったり、さらには先端部全体の表面が粗面に形成されていてもよい。
【００２３】
また、上記実施の形態１、２ではスイッチ開口窓２が４つ設けられているが、これに限定されるものではなく、スイッチ開口窓２が１〜３つ設けられているものであっても、本発明が適用されることは勿論である。
さらに、上記実施の形態１では、プリント基板４の左側で一番下側位置の消灯表示用ＬＥＤ７に隣接して受光ＩＣ９が実装されているが、これに限定されるものではなく、他の位置の消灯表示用ＬＥＤ７に隣接して受光ＩＣ９を実装するよにしたり、また上記実施の形態２では、プリント基板４の左側で一番下側位置の消灯表示用ＬＥＤ７に隣接して発光ＩＣが実装されているが、これに限定されるものではなく、他の位置の消灯表示用ＬＥＤ７に隣接して発光ＩＣを実装するようにしても、本発明が適用されることは勿論である。
【００２４】
また、上記実施の形態１で消灯表示用ＬＥＤ７に隣接して受光ＩＣ９が実装されており、上記実施の形態２では消灯表示用ＬＥＤ７に隣接しては発光ＩＣが実装されている例を説明したが、消灯表示用ＬＥＤ７に隣接して受光ＩＣ９及び発光ＩＣを実装して送受光部を形成し、消灯表示用ＬＥＤ７と送受光部の上面に１つの導光部材１０の基端部を配置し、その導光部材１０の先端部をスイッチ本体上ケース１の消灯表示用ＬＥＤ７が臨む細長い表示ＬＥＤ窓４を利用してその左側から突出するように配設するようにしてもよい。
【００２５】
【発明の効果】
以上のように本発明によれば、プリント基板に複数の照明点灯用スイッチと、各照明点灯用スイッチに対応してオン時に点灯する点灯表示用ＬＥＤ及びオフ時に点灯する消灯表示用ＬＥＤを複数対間隔を置いて実装し、プリント基板をスイッチ本体ケースに収納し、スイッチ本体ケースの前面に各照明点灯用スイッチのスイッチ操作ボタンに対応するスイッチ用開口窓と各対の消灯表示用ＬＥＤ及び点灯表示用ＬＥＤにそれぞれ対応する表示ＬＥＤ窓とを複数設け、各点灯表示用ＬＥＤと各消灯表示用ＬＥＤの上面にそれぞれ導光部材の基端部を配置し、導光部材の広範囲に光を拡散又は集光する先端部を表示ＬＥＤ窓から突出するように設けたので、各点灯表示用ＬＥＤと各消灯表示用ＬＥＤが発する光が導光部材の基端部で受信され、導光部材の内部に導かれ、導光部材先端部から広範囲に拡散して発信されることとなり、照明スイッチ装置の操作者が照明スイッチ装置に対して横方向、斜め方向等に位置していても各点灯表示用ＬＥＤと各消灯表示用ＬＥＤが発する光を視認することができるという効果がある。
【図面の簡単な説明】
【図１】本発明の実施の形態１の照明スイッチ装置の要部の構成を示す断面図である。
【図２】同照明スイッチ装置のプリント基板の平面図である。
【図３】同照明スイッチ装置の取付金具が取付けられた平面図である。
【図４】同照明スイッチ装置の取付金具が取付けられた側面図である。
【図５】同照明スイッチ装置の導光部材の各種形状を示す構成図である。
【符号の説明】
１  スイッチ本体上ケース、２  スイッチ用開口窓、３  スイッチ操作ボタン、４  表示ＬＥＤ窓、５  プリント基板、６  照明点灯用スイッチ、７  消灯表示用ＬＥＤ、８  点灯表示用ＬＥＤ、９  受光ＩＣ、１０  導光部材。
【図１】
2004355958.tif 000003
【図２】
2004355958.tif 000004
【図３】
2004355958.tif 000005
【図４】
2004355958.tif 000006
【図５】
2004355958.tif 000007